(57)【特許請求の範囲】
【請求項１】
サッシ枠の下枠は、外レールを有する室外側下枠材と、内レールを有する室内側下枠材と、室外側下枠材と室内側下枠材を連結する樹脂製の断熱材と、内外レール間に設けた補強材とを備え、補強材は、外レールに沿う外レール補強部を有し、断熱材よりも室外側の位置に、火災の熱により発泡して室外側下枠材と補強材との間の隙間を塞ぐ耐火材を設けたことを特徴とするサッシ。
【請求項２】
耐火材は、下枠上面の水抜き孔の近傍に設けてあり、火災の熱により発泡した耐火材が水抜き孔を塞ぐことを特徴とする請求項１記載のサッシ。
【請求項３】
補強材は、内レール側にガス抜き部を有することを特徴とする請求項１又は２記載のサッシ。
【発明の詳細な説明】
【技術分野】
【０００１】
本発明は、防火性能を向上させたサッシに関する。
【背景技術】
【０００２】
従来より、下枠の室内側に結露が生ずるのを防ぐために、下枠を室外側下枠材と室内側下枠材とに分割すると共に、室外側下枠材と室内側下枠材とをウレタン樹脂等の断熱材で連結したものがある。このような断熱性のサッシ枠を用いるサッシにおいては、火災が発生したときに断熱材が溶融して燃えやすい可燃ガスが発生し、その可燃ガスが外障子の内部に侵入して横框の端部等から可燃ガスが噴出すると、そこが着火点となって延焼に繋がるおそれがある。また、火災が発生すると下枠が火災の熱により軟化し、下枠の外レールには外障子の自重と共に外障子の竪框が火災の熱で伸びることによる下向きに押す力が働き、外レールの位置が下に下がったり変形したりするため、外障子が脱落しやすくなる。
【発明の概要】
【発明が解決しようとする課題】
【０００３】
本発明は以上に述べた実情に鑑み、火災時に下枠の断熱材から発生する可燃ガスが外障子内部に入り込むのを防止すると共に、外障子の脱落を防止できるサッシの提供を目的とする。
【課題を解決するための手段】
【０００４】
上記の課題を達成するために請求項１記載の発明によるサッシは、サッシ枠の下枠は、外レールを有する室外側下枠材と、内レールを有する室内側下枠材と、室外側下枠材と室内側下枠材を連結する樹脂製の断熱材と、内外レール間に設けた補強材とを備え、補強材は、外レールに沿う外レール補強部を有し、断熱材よりも室外側の位置に、火災の熱により発泡して室外側下枠材と補強材との間の隙間を塞ぐ耐火材を設けたことを特徴とする。
【０００５】
請求項２記載の発明によるサッシは、請求項１記載の発明の構成に加え、耐火材は、下枠上面の水抜き孔の近傍に設けてあり、火災の熱により発泡した耐火材が水抜き孔を塞ぐことを特徴とする。
【０００６】
請求項３記載の発明によるサッシは、請求項１又は２記載の発明の構成に加え、補強材は、内レール側にガス抜き部を有することを特徴とする。
【発明の効果】
【０００７】
請求項１記載の発明によるサッシは、室外側下枠材と室内側下枠材を樹脂製の断熱材で連結した構成により、室内側の結露を防止することができ、しかも火災時に断熱材から可燃ガスが発生しても、断熱材よりも室外側で火災の熱により発泡した耐火材が室外側下枠材と補強材との間の隙間を塞ぐため、可燃ガスが外障子内に入り込むのを防止できる。また、補強材の外レール補強部により外障子の脱落を防止できる。
【０００８】
請求項２記載の発明によるサッシは、耐火材が下枠上面の水抜き孔の近傍に設けてあり、火災の熱により発泡した耐火材が水抜き孔を塞ぐため、下枠の排水経路から熱風や煙などが侵入するのを阻止し、防火性能をより向上できる。
【０００９】
請求項３記載の発明によるサッシは、補強材の内レール側にガス抜き部を有するため、火災時に断熱材から発生する可燃ガスをガス抜き部から逃がすことができ、防火性能に影響の少ないところで可燃ガスを積極的に逃がすことで、防火性能を向上できる。
【図面の簡単な説明】
【００１０】
【図１】図３のＡ−Ａ断面図である。
【図２】図３のＡ−Ａ断面図であって、火災時の状態を示す。
【図３】本発明のサッシの一実施形態を示す室外側正面図である。
【図４】同サッシの縦断面図である。
【図５】同サッシの横断面図である。
【図６】同サッシの下枠の平面図である。
【図７】図６のＢ−Ｂ断面図である。
【図８】図６のＣ−Ｃ断面図である。
【図９】耐火材の取付け位置の他の例を示す下枠部の縦断面図である。
【図１０】補強材の他の例を示す下枠部の縦断面図である。
【図１１】図１０の補強材を用いた場合の火災時の状態を示す下枠部の縦断面図である。
【発明を実施するための形態】
【００１１】
以下、本発明の実施の形態を図面に基づいて説明する。図１〜８は本発明のサッシの一実施形態を示している。本サッシは、図３〜５に示すように、躯体開口部に取付けたサッシ枠１と、サッシ枠１内に引違い状に開閉自在に収めた外障子２及び内障子３を備えている。
【００１２】
サッシ枠１は、上枠４と下枠５と左右の竪枠６，６とを四方枠組みして構成される。下枠５は、図１に示すように、アルミニウム合金の押出形材で形成した室外側下枠材５ａと室内側下枠材５ｂとを、ウレタン樹脂よりなる断熱材７で連結した構造になっている。室内側下枠材５ｂの上部には、樹脂製のアングル８が取付けてある。このように下枠５は、断熱材７と樹脂製アングル８により、室内側の結露を防止している。下枠５の上面は略フラットに形成され、外障子２を案内する外レール９と内障子３を案内する内レール１０とが、同一高さで上方に突出して形成されている。
下枠５の上面には、図１，６に示すように、下枠５の長手方向端部の外レール９の室内側の位置に水抜き孔１１が設けてあり、内外レール９，１０間に浸入した雨水や結露水は、水抜き孔１１より室外側下枠材５ａの中空部１２内に導かれる。また下枠５の室外側壁の下部には排水孔１３が設けてあり、中空部１２内の水は排水孔１３より室外に排水される。排水孔１３には、樹脂製の排水弁１４が取付けてあり、排水孔１３から雨風が吹き込むのを防止している。排水弁１４は、排水孔１３に嵌合保持されるケース１４ａと、ケース１４ａに軸支され室外側に回動して開く弁体１４ｂを有する。
【００１３】
下枠５の排水孔１３に隣接する位置には、図１に示すように、加熱されると発泡して膨張し、排水孔１３を塞ぐ耐火材１６が設けてある。かかる熱発泡性の耐火材１６は、市販品の中から適宜選択して用いることができ、例えば積水化学工業株式会社製の商品名「フィブロック」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。火災時に消失することがなく、有害ガスが発生することもない。またフィブロックは、片面に剥離紙付きの接着層を有し、剥離紙を剥がして簡便に接着取付けできる。
中空部１２内の排水孔１３に隣接する位置には、Ｌ形断面の耐火材取付部材１８がネジ１９で取付けてあり、耐火材取付部材１８の下面に耐火材１６を貼り付けてある。なお、耐火材取付部材１８及び耐火材６は、中空部１２内ではなく下枠５の室外側面に取付けることもできる。
【００１４】
下枠５の内外レール９，１０間のうち、閉鎖した外障子２が位置する室内側から見てほぼ左半分の領域には、図１，６に示すように、ステンレス製の補強材２３が設けてある。補強材２３は、下枠５上面に当接する下枠上面当接部２３ａと、外レール９の室内側面に沿うように立ち上がる外レール補強部２３ｂと、外レール補強部２３ｂの上縁にあって外レール９が下に下がろうとしたときに外レール９の上部を受ける外レール受け部２３ｃを有し、下枠上面当接部２３ａを下枠５上面に当接し、長手方向に所定のピッチで下枠５にネジ２４で固定してある。内レール１０は、室内側下枠材５ｂの室外側端部に位置しており、内レール１０の付け根の部分には室外側が開口した溝状の係止部２５が形成してあり、補強材２３の下枠上面当接部２３ａの室内側端部が前記係止部２５内に差込まれている。外レール９の上端部には室内側に膨らむ突部２６を有し、補強材２３の外レール受け部２３ｃは突部２６の下方に隙間を開けた状態で位置している。
補強材２３の下枠上面当接部２３ａと外レール補強部２３ｂ間には、室外側に向けて上向きに傾斜した傾斜部２３ｄを有しており、補強材２３と室外側下枠材５ａとの間に隙間６７が形成されている。内外レール９，１０間に浸入した雨水や結露水は、この隙間６７を通り、水抜き孔１１から中空部１２へと落ちる。傾斜部２３ｄの下面には、加熱されると発泡して膨張し、補強材２３と室外側下枠材５ａとの間の隙間６７を塞ぐ耐火材６８が設けてある。耐火材６８は、補強材２３の長手方向の全長に亘って設けてあり、水抜き孔１１の近傍に位置している。耐火材６８は、排水孔１３の近傍の耐火材１６と同様に、積水化学工業株式会社製の商品名「フィブロック」を用いることができる。
【００１５】
火災時にウレタン樹脂よりなる下枠５の断熱材７が溶融・燃焼すると非常に燃えやすい可燃ガスが発生するが、図２に示すように、補強材２３の傾斜部２３ｄの下面に貼り付けた耐火材６８が火災の熱により発泡し、補強材２３と室外側下枠材５ａとの間の隙間６７を塞ぐため、発泡した耐火材６８に遮られて、可燃ガス６９が下枠５上面と補強材２３との隙間を通って外障子２の内部に侵入するのを防ぐことができる。これにより、外障子２の周囲で可燃ガスに火が引火して延焼を起こすのを防ぐことができ、サッシの防火性能を高めることができる。また、発泡した耐火材６８により下枠上面の水抜き孔１１が塞がれ、排水孔１３も発泡した耐火材１６により塞がれるため、下枠５の排水経路から熱風や煙などが室外から室内へ又は室内から室外へ侵入するのを阻止し、防火性能を向上することができる。
【００１６】
また、火災が発生すると、下枠５が火災の熱により軟化し、下枠５の外レール９には外障子２の自重と共に外障子２の竪框が火災の熱で伸びることによる下向きに押す力が働くため、外レール９の位置が下に下がったり変形したりしようとするが、本サッシは図２に示すように、補強材２３の外レール受け部２３ｃが外レール９上部の突部２６を受けることで、外レール９の位置が下に下がったり変形したりするのを抑えることができ、これにより外障子２の脱落を確実に防止できる。また、外レール９が火災の熱で軟化したり溶けて消失したとしても、外レール補強部２３ｂが外障子２の下部に係合して外障子２の脱落を防止できる。補強材２３は、下枠上面当接部２３ａと外レール補強部２３ｂ間に室外側に向けて上向きに傾斜した傾斜部２３ｄを有することで、補強材２３の強度が向上して下枠５の変形を抑える効果が高められ、また傾斜部２３ｄの下方の下枠５上面に水抜き孔１１を設けることで、内外レール９，１０間に溜まる雨水や結露水を良好に排水できる。さらに、補強材２３の室内側端部が内レール１０の根元に形成された係止部２５に係止することにより、補強材２３に下向き荷重を安定して支持できると共に補強材２３の浮き上がりが規制されるため、外障子２の脱落をより一層確実に防止できる。通常の状態では、図１に示すように、外レール９上部の突部２６と外レール受け部２３ｃとの間、内レール１０の付け根の係止部２５と補強材２３の室内側端部との間に若干隙間を設けているので、補強材２３を内外レール９，１０間に上方から簡単に取付けできる。
【００１７】
補強材２３の内レール１０側には、図６，７に示すように、長手方向の中間部に切り欠き３３を形成し、火災時に断熱材７から発生する可燃ガスを逃がすためのガス抜き部３２を設けている。ガス抜き部３２は、外障子２の幅方向の中間部に位置している。さらに、補強材２３の長手方向中間部には、室外側に水抜き用の切り欠き５９が設けてある。
このように、下枠５の補強材２３に切り欠き３３を形成してガス抜き部３２を設けてあると、断熱材７から生ずる可燃ガスをガス抜き部３２から集中的に逃がすことができ、防火性能に影響の少ないところ（外障子２や内障子３の幅方向の中間部）から可燃ガスを積極的に逃がすことで、防火性能を向上することができる。
【００１８】
図１０は、下枠の補強材２３の他の例を示している。この補強材２３は、下枠上面当接部２３ａと外レール補強部２３ｂ間に階段状の曲がり部２３ｅを設けてあり、曲がり部２３ｅの横壁の下面に火災の熱で発泡する耐火材６８を設けている。耐火材６８は、下枠上面の水抜き孔１１の真上に位置している。補強材２３をこのように形成すると、補強材２３と室内側下枠材５ａとの間の隙間６７を広く確保できるため、内外レール９，１０間に浸入した雨水や結露水の排水性が向上する。しかも火災時には、図１１に示すように、補強材２３と室内側下枠材５ａとの間の隙間６７と水抜き孔１１が発泡した耐火材６８により塞がれるため、防火性能を維持できる。
【００１９】
耐火材６８は、上述の「フィブロック」に限らず、熱により発泡して膨張する性質を有する耐火材であれば使用できる。耐火材６８は、図９に示すように、外レール９の室内側面に取付けることもできる。
補強材２３の材質は特に限定されるものではないが、火災時に容易に溶融したり変形したりしない材質、ステンレスや鉄などの金属が好ましい。補強材２３は、外レール受け部２３ｃを有さないものであってもよいし、外レール補強部２３ｂに加え内レール１０の室外側面に沿う立ち上がり部を有するコ字形断面の部材であってもよい。内レール１０に沿う立ち上がり部を設ける場合、その高さは内障子３の下框のタイト材５３（図１参照）と擦れないように、内レール１０の半分以下の高さにするのが好ましい。補強材２３を下枠に固定するのに、ネジ２４以外の固着具（例えばリベット等）を用いることもできる。補強材２３に設けるガス抜き部３２は、上記のような切り欠きの他、孔を明けたりスリットを形成したりして設けることもできる。
【００２０】
さらに本サッシは、図６，８に示すように、補強材２３を内レール１０の室内側で下枠５に連結する連結材６０を設けている。連結材６０はステンレスの板で形成してあり、補強材２３の長手方向の両端部に配置してあって、補強材２３の下枠上面当接部２３ａ上に当接してネジ６１で固定される本体部６０ａと、本体部６０ａより室内側に延出する延出部６０ｂを有しており、延出部６０ｂを内レール１０の下部に形成された水抜き孔６２に挿通してある。内レール１０よりも室内側の室内側下枠材５ｂの上面には、補強材２３と同じ板厚のステンレス板で水抜き孔６２よりも幅広に形成したベース材６３がネジ６４で取付けてあり、ベース材６３上に連結材６０の延出部６０ｂをネジ６５で固定してある。
【００２１】
火災時に下枠５の断熱材７が焼失し始めると、室外側下枠材５ａと室内側下枠材５ｂの間が開き、室外側下枠材５ａが室外側に倒れるように変形しようとするが、本実施形態のように補強材２３を連結材６０とベース材６３を介して室内側下枠材５ｂに連結してあることで、室外側下枠材５ａと室内側下枠材５ｂの間が開くのを防止し、室外側下枠材５ａが室外側に倒れるように変形するのを防止できる。また、補強材２３の室外側への移動が連結材６０により規制されるため、補強材２３の室内側端部を内レール１０の根元の係止部２５に係止する状態に維持できる。それに伴い、外レール９が下に下がるのも防止できるので、外障子２の脱落をより一層確実に防止できる。連結材６０は、内レール１０にもともと形成されている水抜き孔６２を利用することで、容易に設置することができ、既存のサッシの下枠５に連結材６０を後付けすることもできる。室内側下枠材５ｂに、内レール１０の水抜き孔６２よりも幅広のベース材６３を設置し、ベース材６３に連結材６０の延出部６０ｂをネジ６５で固定したので、火災時に連結材６０が室外側に引っ張られても、ベース材６３が水抜き孔６２に引っ掛かって抜けることがなく、連結材６０を室内側下枠材５ｂに強固に連結できる。また、補強材２３と同じ板厚のベース材６３を設置することで、連結材６０の室外側と室内側の取付け面の高さが一致し、連結材６０を安定して取付できる。
【００２２】
連結材６０とベース材６３の材質は特に限定されるものではないが、火災時に容易に溶融したり変形したりしない材質、ステンレスや鉄などの金属が好ましい。ベース材６３を設置せず、連結材６０の延出部６０ｂを室内側下枠材５ｂの上面に直接ネジ６５で固定してもよい。連結材６０は、室内外を逆にしたもの、すなわち連結材６０の延出部６０ｂを内レール１０の水抜き孔６２に室内側から挿入して補強材２３に固定し、水抜き孔６２よりも幅広の本体部６０ａを室内側下枠材５ｂに固定したものであってもよい。また連結材６０は、水抜き孔６２よりも狭い一定の幅で帯板状に形成されたものであってもよい。また、補強材２３を設置せず、内レール１０の水抜き孔６２に挿通した連結材６０を、室外側下枠材５ａの上面と室内側下枠材５ｂの上面とに直接ネジ６１，６５で固定しても、室外側下枠材５ａと室内側下枠材５ｂの間の開きを防止して外障子２の脱落を防止する効果が得られる。
【００２３】
下枠５の内外レール９，１０間のうちの内障子３側には、樹脂カバー（図示省略）が設置してある。図５，６中の符号２９は内障子ストッパーであり、符号３０は外障子ストッパーであり、符号３１は内外障子２，３の召し合せ框下部と下枠５との隙間から雨風が浸入するのを防ぐシールピースである。
【００２４】
サッシ枠１の上枠４は、図４に示すように、アルミ合金の押出形材よりなる室外側上枠材４ａと室内側上枠材４ｂとを樹脂製の断熱材３９にカシメ連結してあり、室内側上枠材４ｂに樹脂製のアングル３５を係合取付けし、内外レール３６，３７間に樹脂製のカバー３８を係合取付けすることで、室内側の結露を防止している。上枠４の断熱材３９は、ナイロン樹脂にガラス繊維を混ぜたものを使用しており、ウレタン樹脂を用いた下枠５の断熱材７と比較して火災時に溶融・燃焼しにくく、断熱材３９から発生する可燃ガスによる影響は少ない。
【００２５】
外障子２と内障子３は、図４，５に示すように、上框４０ａ，４０ｂと下框４１ａ，４１ｂと戸先框４２ａ，４２ｂと召し合せ框４３ａ，４３ｂを四周框組みし、その内周にガラス４４をグレージングチャンネル４５を介して嵌め込んで取付けてある。ガラス４４は、複層ガラスを使用している。上框４０ａ，４０ｂと下框４１ａ，４１ｂと戸先框４２ａ，４２ｂは、室外側の部分がアルミで形成され、室内側の部分は樹脂で形成してあり、内障子３の召し合せ框４３ｂは樹脂製のカバー４６で室内側が覆われている。外障子２と内障子３は、框の室内側が樹脂で覆ってあることと複層ガラスを使用したことにより、室内側の結露を防止している。
【００２６】
戸先框４２ａ，４２ｂと召し合せ框４３ａ，４３ｂは、図５に示すように中空部５８を有しており、中空部５８内にはコ字形断面の補強材４７が長手方向のほぼ全長にわたって配置され、長手方向に所定のピッチでネジ４８により固定してある。補強材４７は、溶融亜鉛メッキ鋼板を折り曲げて形成している。このように補強材４７を設けることで、火災時における戸先框４２ａ，４２ｂと召し合せ框４３ａ，４３ｂの熱伸びとたわみを防止できる。
また、上框４０ａ，４０ｂと下框４１ａ，４１ｂと戸先框４２ａ，４２ｂと召し合せ框４３ａ，４３ｂの内周側のガラス保持溝４９内には、ステンレスの板をコ字形に曲げて形成したガラス間口補強材５０がグレージングチャンネル４５の外側を囲むように配置され、長手方向に所定のピッチでネジ５１により固定してある。ガラス間口補強材５０は、ガラス４４の周縁部を全周カバーしている。このようにガラス間口補強材５０を設けることで、框のガラス保持溝４９の室外側の壁や室内側の壁が火災の熱で溶けたとしても、ガラス４４が脱落するのを防止できる。
【００２７】
下框４１ａ，４１ｂは、図１に示すように、外周側にレール９，１０を呑み込む溝５２が形成してあり、溝５２の下縁に沿って室外側と室内側にタイト材５３が設けてあり、タイト材５３の上方に加熱されると発泡して膨張する耐火材５７ａ，５７ｂが設けてある。耐火材５７ａ，５７ｂは、下框４１ａ，４１ｂの全長に連続して設けてある。火災時には、図２に示すように、耐火材５７ａ，５７ｂが膨張して下框４１ａ，４１ｂとレール９，１０間の隙間を塞ぐ。
戸先框４２ａ，４２ｂは、図５に示すように、外周側に竪枠６の突条５４を呑み込む溝５５が形成してあり、その溝５５の底面に加熱されると発泡して膨張する耐火材５７ｃが戸先框４２ａ，４２ｂの全長に連続して設けてあり、火災時にはこの耐火材５７ｃが発泡して膨張し、竪枠６と戸先框４２ａ，４２ｂ間の隙間を塞ぐ。
外障子２の召し合せ框４３ａの室内側面には、煙返し５６の近傍に加熱されると発泡して膨張する耐火材５７ｄが召し合せ框４３ａの全長に連続して設けてあり、火災時にはこの耐火材５７ｄが発泡して膨張し、内外障子の召し合せ框４３ａ，４３ｂ間の隙間を塞ぐ。上記の各耐火材５７ａ，５７ｂ，５７ｃ，５７ｄとしては、例えば積水化学工業株式会社製の商品名「フィブロック」を用いることができる。
このように本サッシは、火災時に下框４１ａ，４１ｂと下枠５のレール９，１０の隙間、戸先框４２ａ，４２ｂと竪枠６の隙間、内外障子の召し合せ框４３ａ，４３ｂの隙間が耐火材５７ａ，５７ｂ，５７ｃ，５７ｄによってそれぞれ塞がれるので、下框４１ａ，４１ｂと下枠５間、戸先框４２ａ，４２ｂと竪枠６間、及び内外障子の召し合せ框４３ａ，４３ｂ間から熱風や煙等が室外から室内へ又は室内から室外へ侵入するのを防ぎ、防火性能を向上できる。
【００２８】
本発明は以上に述べた実施形態に限定されない。下枠５の断面形状は適宜変更することができ、例えば中空部１２を有しない階段状の下枠であってもよい。補強材２３の断面形状は適宜変更することができ、例えば傾斜部２３ｄを有しないＬ字状のものや、内外レール間の中間位置に上方に膨らんだ部分を有するものであってもよく、耐火材６８の取付け位置は断熱材７よりも室外側であればよい。本発明は、障子が２枚建の引違いサッシに限らず、障子が３枚建てや４枚建ての引違いサッシにも適用できる。また、外障子２と内障子３の何れか一方をサッシ枠１に固定した、片引きサッシにも適用できる。
【符号の説明】
【００２９】
１  サッシ枠
２  外障子
３  内障子
５  下枠
５ａ  室外側下枠材
５ｂ  室内側下枠材
７  断熱材
９  外レール
１０  内レール
１１  水抜き孔
１２  中空部
１３  排水孔
２３  補強材
２３ａ  下枠上面当接部
２３ｂ  外レール補強部
２３ｃ  外レール受け部
２３ｄ  傾斜部
２３ｅ  曲がり部
２４  ネジ（固着具）
２５  係止部
３２  ガス抜き部
６７  室外側下枠材と補強材との間の隙間
６８  耐火材
６９  可燃ガス
【図１】
0005671384.tif 000002
【図２】
0005671384.tif 000003
【図３】
0005671384.tif 000004
【図４】
0005671384.tif 000005
【図５】
0005671384.tif 000006
【図６】
0005671384.tif 000007
【図７】
0005671384.tif 000008
【図８】
0005671384.tif 000009
【図９】
0005671384.tif 000010
【図１０】
0005671384.tif 000011
【図１１】
0005671384.tif 000012